(57)【要約】【課題】複数通りの分岐特性を提供でき、且つ、分岐特性を切り替えるための切替スイッチを不要にした分岐器を提供することにある。【解決手段】分岐器１は、幹線Ｌ１が接続可能な２組の第１端子Ｔ１１，Ｔ１２と、分岐線Ｌ２が接続可能な第２端子Ｔ２１，Ｔ２２と、第１端子Ｔ１１，Ｔ１２と第２端子Ｔ２１，Ｔ２２の間に挿入されたインピーダンス調整部２を備える。インピーダンス調整部２は、第１端子Ｔ１１，Ｔ１２と、第２端子Ｔ２１，Ｔ２２の組み合わせ毎に異なる分岐特性を与える。したがって、２組の第１端子Ｔ１１，Ｔ１２から幹線Ｌ１が接続される端子を選択し、２組の第２端子Ｔ２１，Ｔ２２から分岐線Ｌ２が接続される端子を選択することで、インピーダンス調整部２の分岐特性を選択することができる。【選択図】図１
2012009944.tif 000002
【特許請求の範囲】
【請求項１】
幹線が接続される第１端子と、分岐線が接続される第２端子と、前記第１端子と前記第２端子の間に挿入されたインピーダンス調整部を備え、前記第１端子及び前記第２端子の少なくとも何れか一方を複数組備え、前記インピーダンス調整部は前記第１端子と前記第２端子の組み合わせ毎に分岐特性を異ならせたことを特徴とする分岐器。
【請求項２】
前記第１端子は１組であって、前記第２端子が複数組設けられたことを特徴とする請求項１記載の分岐器。
【請求項３】
前記第２端子は１組であって、前記第１端子が複数組設けられたことを特徴とする請求項１記載の分岐器。
【請求項４】
複数組設けられた前記第１端子又は前記第２端子が、各組に共通する共通端子と組ごとに個別に設けられた接続端子を有する不平衡回路で構成されたことを特徴とする請求項１〜３の何れか１項に記載の分岐器。
【請求項５】
前記インピーダンス調整部は、前記第１端子に一次巻線が接続されるとともに、前記第２端子に二次巻線が接続されるトランスを具備し、前記第１端子と前記第２端子の組み合わせ毎に前記トランスの巻き比を異ならせたことを特徴とする請求項１〜４の何れか１項に記載の分岐器。
【請求項６】
前記第２端子が複数組設けられ、前記インピーダンス調整部では、複数組の前記第２端子に幹線を分岐させる複数の分岐経路を有しており、一部の前記分岐経路には損失発生要素が接続され、残りの前記分岐経路には損失発生要素が接続されていないことを特徴とする請求項１記載の分岐器。
【請求項７】
各組の前記第１端子及び前記第２端子は、それぞれ、前記幹線又は前記分岐線を構成する複数本の電線が接続される複数の電線接続部を有し、各々の前記接続端子を組毎に対応付けるグループ化手段が設けられたことを特徴とする請求項１乃至６の何れか１項に記載の分岐器。
【請求項８】
前記グループ化手段とは、対応する組毎に形態を異ならせた前記電線接続部からなることを特徴とする請求項７記載の分岐器。
【請求項９】
前記グループ化手段とは、対応する組毎に、他の組と離して配置された前記電線接続部からなることを特徴とする請求項７記載の分岐器。
【請求項１０】
複数組設けられた前記第１端子又は前記第２端子のうち、電線が接続されない組を開閉自在に覆う蓋が設けられたことを特徴とする請求項１乃至９の何れか１項に記載の分岐器。
【発明の詳細な説明】
【技術分野】
【０００１】
本発明は、分岐器に関するものである。
【背景技術】
【０００２】
従来の伝送システムとして、特許文献１に記載されているような集合住宅用のインターホンシステムがある。このインターホンシステムは、集合住宅の共用玄関に設置される共用部装置（所謂ロビーインターホン）と、集合住宅の各住戸に設置される複数の住戸機とを端末器として備えている。共用部装置は幹線に接続されており、幹線から分岐器を介して分岐された分岐線に各住戸の住戸機が接続されている。共用部装置と住戸機との間では、幹線と分岐器で分岐された分岐線を介して、音声信号と映像信号が伝送されている。而して、住戸機を使用する住人は、共用部装置を使用する来訪者と、この来訪者を撮影した映像を見ながら、通話することができる。
【０００３】
このような伝送システムでは、伝送路（幹線及び分岐器で分岐された分岐線）同士や伝送路と端末器との接続点において信号の反射が生じないようにするためにインピーダンスの整合を図る等の処置をとる必要がある。そのため、幹線を分岐する分岐器には、幹線に対して分岐線を高インピーダンスとするための抵抗が設けられ、また分岐線に対して幹線とインピーダンスの整合をとるためにトランス等のインピーダンス変換部が設けられている。
【０００４】
ところで、伝送システムには様々な形態がある。図１０（ａ）のシステムでは、端末１００が接続された幹線Ｌ１から、分岐器１１０を介して分岐された分岐線Ｌ２にそれぞれ端末１０１が接続されている。ここで、分岐器１１０の分岐損失（幹線端子から分岐線端子への通過損失）と、挿入損失（幹線端子から他方の幹線端子への通過損失）を比べると、分岐損失は挿入損失に比べて遙かに大きいため、分岐損失に着目してシステムの伝送損失を検討する。図１０（ａ）の伝送システムでは、端末１００と端末１０１の間の通信経路には分岐器１１０が１台しか存在しないため、端末１００−１０１間では１回の分岐損失しか発生しない。一方、端末１０１と別の端末１０１の間の通信経路には分岐器１１０が２台存在し、端末１０１−１０１間では２回分の分岐損失が発生する。
【０００５】
また図１０（ｂ）のシステムでは、端末１００に接続された幹線Ｌ１に複数台の分岐器１１０が接続されるとともに、各分岐器１１０から分岐された分岐線Ｌ２にそれぞれ複数の分岐器１１１が接続されている。そして、分岐器１１１からさらに分岐された分岐線Ｌ３にそれぞれ端末１０１が接続されており、端末１００，１０１間で２〜４回の分岐損失が発生する。
【０００６】
ここで、図１０（ｂ）のシステムは、図１０（ａ）のシステムに比べて分岐数が多いため、同じ分岐損失の分岐器を用いた場合、図１０（ｂ）のシステムの方がシステム全体での分岐損失が大きくなる。しかし、図１０（ａ）のシステムと図１０（ｂ）のシステムの端末１０１の数が同じだとすると、分岐器１１０の数は図１０（ａ）に比べて図１０（ｂ）の方が少なくなっている。したがって、図１０（ｂ）の分岐器１１０は図１０（ａ）の分岐器１１０に比べてインピーダンスが低くてよいため、分岐器１台当たりの分岐損失は図１０（ａ）に比べて小さくすることができる。このように分岐器１１０の数に応じて適切な特性に変更することでシステム全体での損失を減らすことができる。
【０００７】
しかしながら、特許文献１に開示された分岐器では、インピーダンスを整合させる抵抗器の抵抗値が固定のため、異なる分岐特性が必要な２つのシステムに対応できず、各々のシステムで必要とされる分岐特性を持たせた２種類の分岐器を用意する必要があった。
【０００８】
そこで、特許文献２，３に開示されているように、抵抗値の異なる抵抗器を複数備え、切替スイッチを用いて幹線と分岐線との間に挿入される抵抗器を切り替え可能とした分岐器が従来提案されている。この分岐器では、切替スイッチを用いて抵抗器を切り替えることで、分岐特性を変更できるので、１台の分岐器で様々なシステムに対応することができる。
【先行技術文献】
【特許文献】
【０００９】
【特許文献１】特開２００４−１８６８３４号公報
【特許文献２】特開２００７−１６６１１０号公報
【特許文献３】特開２００７−１６６１０９号公報
【発明の概要】
【発明が解決しようとする課題】
【００１０】
上述の特許文献２，３に開示された分岐器では、分岐特性を切り替えるための切替スイッチが必要であった。また、切替スイッチを用いて幹線と分岐線の間に接続される抵抗器を切り替えることで、分岐特性を調整した後で、切替スイッチが不用意に操作されると、分岐特性が最適な状態から変更されてしまう可能性があった。
【００１１】
本発明は上記課題に鑑みて為されたものであり、その目的とするところは、複数通りの分岐特性を提供でき、且つ、分岐特性を切り替えるための切替スイッチを不要にした分岐器を提供することにある。
【課題を解決するための手段】
【００１２】
上記課題を解決するために、本発明の分岐器は、幹線が接続される第１端子と、分岐線が接続される第２端子と、第１端子と第２端子の間に挿入されたインピーダンス調整部を備え、第１端子及び第２端子の少なくとも何れか一方を複数組備える。インピーダンス調整部は第１端子と第２端子の組み合わせ毎に分岐特性を異ならせたことを特徴とする。
【００１３】
この分岐器において、第１端子は１組であって、第２端子が複数組設けられることも好ましい。
【００１４】
この分岐器において、第２端子は１組であって、第１端子が複数組設けられることも好ましい。
【００１５】
この分岐器において、複数組設けられた第１端子又は第２端子が、各組に共通する共通端子と組ごとに個別に設けられた接続端子を有する不平衡回路で構成されることも好ましい。
【００１６】
この分岐器において、インピーダンス調整部は、第１端子に一次巻線が接続されるとともに、第２端子に二次巻線が接続されるトランスを具備し、第１端子と第２端子の組み合わせ毎にトランスの巻き比を異ならせることも好ましい。
【００１７】
この分岐器において、第２端子が複数組設けられ、インピーダンス調整部では、複数組の第２端子に幹線を分岐させる複数の分岐経路を有し、一部の分岐経路には損失発生要素が接続され、残りの分岐経路には損失発生要素が接続されていないことも好ましい。
【００１８】
この分岐器において、各組の第１端子及び第２端子は、それぞれ、幹線又は分岐線を構成する複数本の電線が接続される複数の電線接続部を有し、各々の接続端子を組毎に対応付けるグループ化手段が設けられることも好ましい。
【００１９】
この分岐器において、グループ化手段とは、対応する組毎に形態を異ならせた電線接続部からなることも好ましい。
【００２０】
この分岐器において、グループ化手段とは、対応する組毎に、他の組と離して配置された電線接続部からなることも好ましい。
【００２１】
この分岐器において、複数組設けられた第１端子又は第２端子のうち、電線が接続されない組を開閉自在に覆う蓋が設けられることも好ましい。
【発明の効果】
【００２２】
本発明によれば、複数組ある第１端子又は第２端子から使用する端子を選択することによって、所望の分岐特性を選択できる。したがって、１台の分岐器１で複数通りの分岐特性を実現でき、必要とされる分岐特性が異なる複数の伝送システムに対応することができる。しかも、複数組ある第１端子又は第２端子から使用する端子を選択し、選択した端子に幹線又は分岐線を接続することによって分岐特性が変更されるので、分岐特性を切り替える切替スイッチを無くすことができる。また、切替スイッチで分岐特性を切り替える場合に比べて、切替スイッチが不用意に操作されることで、分岐特性が誤って変更される可能性を低減できる。
【図面の簡単な説明】
【００２３】
【図１】（ａ）（ｂ）は実施形態１の分岐器の回路図である。
【図２】実施形態２の分岐器の回路図である。
【図３】同上の他の回路構成を示す回路図である。
【図４】実施形態３の分岐器の回路図である。
【図５】実施形態４の分岐器の回路図である。
【図６】同上の分岐特性を説明する回路図である。
【図７】実施形態５の分岐器を示し、（ａ）〜（ｃ）は電線接続部の説明図である。
【図８】実施形態６の分岐器を示し、（ａ）（ｂ）は端子部分の説明図である。
【図９】同上の他の分岐器を示し、（ａ）（ｂ）は端子部分の説明図である。
【図１０】（ａ）（ｂ）は分岐器を用いた伝送システムのシステム構成図である。
【発明を実施するための形態】
【００２４】
以下に本発明の実施の形態を図面に基づいて説明する。
【００２５】
（実施形態１）
本発明に係る分岐器の実施形態１を図１に基づいて説明する。図１（ａ）は、分岐器１の回路図を示しており、この分岐器１は、それぞれ幹線が接続可能な２組の第１端子Ｔ１１，Ｔ１２と、それぞれ分岐線が接続可能な２組の第２端子Ｔ２１，Ｔ２２を備えている。尚、第１端子及び第２端子は２組ずつ設けられており、所望の分岐特性が得られる組み合わせで１組ずつの第１端子と第２端子に幹線及び分岐線が接続される。
【００２６】
２組の第１端子Ｔ１１，Ｔ１２は、それぞれ、幹線Ｌ１を構成する２本の電線がそれぞれ接続される２個の接続端子を備えている。ここで、一方の組の第１端子Ｔ１１を構成する２個の端子の間には、抵抗Ｒ１１とトランスＴｒの一次巻線と抵抗Ｒ１１の直列回路が接続されている。他方の組の第１端子Ｔ１２を構成する２個の端子の間には、抵抗Ｒ１２とトランスＴｒの一次巻線の一部と抵抗Ｒ１２の直列回路が接続されている。
【００２７】
また、２組の第２端子Ｔ２１，Ｔ２２も、それぞれ、分岐線Ｌ２を構成する２本の電線がそれぞれ接続される２個の接続端子を備えている。一方の組の第２端子Ｔ２１を構成する２個の端子の間には、抵抗Ｒ２１とトランスＴｒの二次巻線と抵抗Ｒ２１の直列回路が接続されている。他方の組の第２端子Ｔ２２を構成する２個の端子の間には、抵抗Ｒ２２とトランスＴｒの二次巻線と抵抗Ｒ２２の直列回路が接続されている。
【００２８】
ここで、第１端子Ｔ１１又はＴ１２の何れかと、第２端子Ｔ２１又はＴ２２の何れかとの間に挿入される抵抗とトランスＴｒとで、幹線と分岐線の間のインピーダンスを設定するインピーダンス調整部２が構成される。而して、幹線が接続される第１端子Ｔ１１，Ｔ１２と、分岐線が接続される第２端子Ｔ２１，Ｔ２２の組み合わせによって、分岐特性が異なる４通りのインピーダンス調整部２を構成できる。
【００２９】
例えば第１端子Ｔ１１に幹線Ｌ１が接続され、第２端子Ｔ２１に分岐線Ｌ２が接続された場合、インピーダンス調整部２は、トランスＴｒとトランスＴｒの一次側に接続された抵抗Ｒ１１，Ｒ１１と二次側に接続された抵抗Ｒ２１，Ｒ２１で構成される。また第１端子Ｔ１１に幹線Ｌ１が接続され、第２端子Ｔ２２に分岐線Ｌ２が接続された場合、インピーダンス調整部２はトランスＴｒとトランスＴｒの一次側に接続された抵抗Ｒ１１，Ｒ１１とトランスＴｒの二次巻線に接続されたＲ２２，Ｒ２２で構成される。また第１端子Ｔ１２に幹線Ｌ１が、第２端子Ｔ２１に分岐線Ｌ２が接続された場合、インピーダンス調整部２はトランスＴｒとトランスＴｒの一次巻線の一部に接続された抵抗Ｒ１２，Ｒ１２とトランスＴｒの二次側に接続された抵抗Ｒ２１，Ｒ２１で構成される。また第１端子Ｔ１２に幹線Ｌ１が、第２端子Ｔ２２に分岐線Ｌ２が接続された場合、インピーダンス調整部２はトランスＴｒとトランスＴｒの一次巻線の一部に接続された抵抗Ｒ１２，Ｒ１２とトランスＴｒの二次巻線に接続されたＲ２２，Ｒ２２とで構成される。
【００３０】
上述のように分岐器１は、幹線が接続される２組の第１端子Ｔ１１，Ｔ１２と、分岐線が接続される２組の第２端子Ｔ２１，Ｔ２２と、第１端子Ｔ１１，Ｔ１２と第２端子Ｔ２１，Ｔ２２の間に挿入されたインピーダンス調整部２を備えている。このインピーダンス調整部２は、幹線と分岐線との間のインピーダンスを調整する機能を有しており、第１端子Ｔ１１，Ｔ１２と第２端子Ｔ２１，Ｔ２２の４通りの組み合わせ毎に分岐特性が異なるように設計されている。
【００３１】
これにより、２組の第１端子Ｔ１１，Ｔ１２から幹線が接続される組を選択するとともに、２組の第２端子Ｔ２１，Ｔ２２から分岐線が接続される組を選択することによって、所望の分岐特性を選択できる。したがって、１台の分岐器１で複数通りの分岐特性を実現でき、必要とされる分岐特性が異なる複数の分岐回路に対応することができる。しかも、２組ずつ設けられた第１端子及び第２端子から幹線及び分岐線を接続する端子を選択し、選択された第１端子及び第２端子に幹線及び分岐線を接続することによって、分岐特性が変更されるので、分岐特性を切り替える切替スイッチを無くすことができる。また分岐特性を切り替えるための切替スイッチがないので、切替スイッチが不用意に操作されることによって、一旦設定された分岐特性が変更される可能性を低減できる。
【００３２】
尚、図１（ａ）の回路では第１端子及び第２端子が２組ずつしか設けられていないが、第１端子及び第２端子をそれぞれ３組以上備えてもよい。その場合も第１端子及び第２端子の組み合わせ毎にインピーダンス調整部２の分岐特性を異ならせておけば、幹線を接続する第１端子、或いは、分岐線を接続する第２端子を変更することで、分岐特性を変更することができる。
【００３３】
また本実施形態では、インピーダンス調整部２が、幹線を複数の第２端子Ｔ２１，Ｔ２２に分岐させる複数の分岐経路を有しており、複数の分岐経路には、それぞれ損失発生要素である抵抗Ｒ２１，Ｒ２２が２個ずつ接続されているため、部品数が多くなっていた。
【００３４】
そこで、図１（ｂ）に示すように、一方の分岐経路に接続された２個の抵抗Ｒ２１を削除することで、部品数を少なくしてもよい。この場合、抵抗Ｒ２１を削除した分、一次側に接続された抵抗Ｒ１１，Ｒ１２の抵抗値を高くし、他方の分岐経路に接続された２個の抵抗Ｒ２２の抵抗値を下げれば、図１（ａ）の回路と同等、若しくは類似の分岐特性を得ることができる。従って、分岐特性が同等程度のまま、インピーダンス調整部２を構成する部品の数を少なくできるから、コストダウンを図ることができる。
【００３５】
（実施形態２）
本発明の実施形態２を図２に基づいて説明する。尚、実施形態１と共通する構成要素には同一の符号を付して、その説明は省略する。
【００３６】
図２は分岐器１の回路図であり、この分岐器１は、幹線が接続される１組の第１端子Ｔ１１と、それぞれ分岐線が接続可能な２組の第２端子Ｔ２１，Ｔ２２を備えている。そして、２組の第２端子Ｔ２１，Ｔ２２のうち、所望の分岐特性が得られる方の端子に分岐線を接続して使用される。
【００３７】
第１端子Ｔ１１は、幹線Ｌ１を構成する２本の電線がそれぞれ接続される２個の接続端子を備えている。第１端子Ｔ１１を構成する２個の端子の間には、トランスＴｒの一次巻線が接続されている。
【００３８】
２組の第２端子Ｔ２１，Ｔ２２も、それぞれ、分岐線Ｌ２を構成する２本の電線がそれぞれ接続される２個の接続端子を備えている。一方の組の第２端子Ｔ２１を構成する２個の端子の間には、トランスＴｒの二次巻線が接続されている。他方の組の第２端子Ｔ２２を構成する２個の端子の間には、抵抗Ｒ２１とトランスＴｒの二次巻線と抵抗Ｒ２１の直列回路が接続されている。
【００３９】
ここで、第２端子Ｔ２１又はＴ２２の何れかと第１端子Ｔ１１との間に挿入される抵抗器とトランスＴｒから、幹線と分岐線の間のインピーダンスを設定するインピーダンス調整部２が構成される。而して、第２端子Ｔ２１，Ｔ２２のどちらに分岐線Ｌ２が接続されるかによって分岐特性が異なる２通りのインピーダンス調整部２を構成できる。例えば第２端子Ｔ２１に分岐線が接続された場合、インピーダンス調整部２はトランスＴｒのみで構成される。また第２端子Ｔ２２に分岐線が接続された場合、インピーダンス調整部２は、トランスＴｒと、トランスＴｒの二次巻線に直列接続された抵抗Ｒ２１，Ｒ２１で構成される。
【００４０】
上述のように分岐器１は、幹線が接続される第１端子Ｔ１１と、分岐線が接続される第２端子Ｔ２１，Ｔ２２と、第１端子Ｔ１１と第２端子Ｔ２１，Ｔ２２の間に挿入されて幹線と分岐線の間のインピーダンスを設定するインピーダンス調整部２を備えている。
【００４１】
この分岐器１では、第２端子Ｔ２１に分岐線が接続される場合と、第２端子Ｔ２２に接続される場合とで分岐特性が異なるので、所望の分岐特性が得られる第２端子Ｔ２１，Ｔ２２を選択して、分岐線を接続すればよい。
【００４２】
したがって、１台の分岐器１で複数通りの分岐特性を実現でき、必要とされる分岐特性が異なる複数の分岐回路に対応することができる。しかも、２組の第２端子から分岐線を接続する端子を選択し、選択された第２端子に分岐線を接続することによって、分岐特性が変更されるので、分岐特性を切り替える切替スイッチを無くすことができる。また分岐特性を切り替えるための切替スイッチがないので、切替スイッチが不用意に操作されることによって、一旦設定された分岐特性が変更される可能性を低減できる。
【００４３】
尚、図２の回路では第２端子が２組しか設けられていないが、第２端子を３組以上備えてもよい。その場合も各々の組ごとにインピーダンス調整部２の分岐特性を異ならせておけば、３組以上の第２端子から分岐線を接続する第２端子を選択することで、所望の分岐特性を得ることができる。
【００４４】
ところで、上述の分岐器１では、２組の第２端子Ｔ２１，Ｔ２２は、それぞれ、別個に設けられた２個の接続端子を備えているが、複数組の第２端子Ｔ２１，Ｔ２２が不平衡回路で構成されていてもよい。すなわち、図３に示すように、２組の第２端子Ｔ２１，Ｔ２２が、各組に共通する共通端子ｔ１と、組ごとに個別に設けられた接続端子ｔ２，ｔ３を有する不平衡回路で構成されてもよく、接続端子の数を減らすことによって、コストダウンや小型化が可能になる。
【００４５】
尚、上述の実施形態１や後述する他の実施形態において、複数組設けられた第１端子又は第２端子が、各組に共通する共通端子と、組毎に個別に設けられた接続端子を有する不平衡回路で構成されてもよく、上述と同様、接続端子の数を減らすことができる。
【００４６】
（実施形態３）
本発明の実施形態３を図４に基づいて説明する。尚、実施形態１又は２と共通する構成要素には同一の符号を付して、その説明は省略する。
【００４７】
図４は分岐器１の回路図であり、この分岐器１は、それぞれ幹線Ｌ１が接続可能な２組の第１端子Ｔ１１，Ｔ１２と、分岐線Ｌ２が接続される１組の第２端子Ｔ２１を備えている。そして、２組の第１端子Ｔ１１，Ｔ１２のうち、所望の分岐特性が得られる方の端子に幹線を接続して使用される。
【００４８】
２組の第１端子Ｔ１１，Ｔ１２は、それぞれ、幹線Ｌ１を構成する２本の電線がそれぞれ接続される２個の接続端子を備えている。一方の組の第１端子Ｔ１１を構成する２個の端子の間には、抵抗Ｒ１１と、トランスＴｒの一次巻線と、抵抗Ｒ１１の直列回路が接続されている。他方の組の第１端子Ｔ１２を構成する２個の端子の間には、抵抗Ｒ１２と、トランスＴｒの一次巻線と、抵抗Ｒ１２の直列回路が接続されている。
【００４９】
また、第２端子Ｔ２１も、分岐線Ｌ２を構成する２本の電線がそれぞれ接続される２個の接続端子を備えている。第２端子Ｔ２１を構成する２個の端子の間には、トランスＴｒの二次巻線が接続されている。
【００５０】
ここで、第１端子Ｔ１１又はＴ１２の何れかと第２端子Ｔ２１の間に挿入される抵抗器とトランスＴｒから、幹線と分岐線の間のインピーダンスを設定するインピーダンス調整部２が構成される。而して、第１端子Ｔ１１，Ｔ１２のどちらに幹線Ｌ１が接続されるかによって分岐特性が異なる２通りのインピーダンス調整部２を構成できる。例えば第１端子Ｔ１１に幹線Ｌ１が接続された場合、インピーダンス調整部２は、トランスＴｒと、トランスＴｒの一次巻線に直列接続された抵抗Ｒ１１，Ｒ１１で構成される。また第１端子Ｔ１２に幹線Ｌ１が接続された場合、インピーダンス調整部２は、トランスＴｒと、トランスＴｒの一次巻線に直列接続された抵抗Ｒ１２，Ｒ１２で構成される。
【００５１】
上述のように分岐器１は、幹線が接続される第１端子Ｔ１１，Ｔ１２と、分岐線が接続される第２端子Ｔ２１と、第１端子Ｔ１１，Ｔ１２と第２端子Ｔ２１の間に挿入されて幹線と分岐線の間のインピーダンスを設定するインピーダンス調整部２を備えている。
【００５２】
この分岐器１では、一方の組の第１端子Ｔ１１に幹線Ｌ１が接続される場合と、他方の組の第１端子Ｔ１２に幹線Ｌ１が接続される場合とで分岐特性が異なるので、所望の分岐特性が得られる第１端子Ｔ２１，Ｔ２２を選択して、幹線Ｌ１を接続すればよい。
【００５３】
したがって、１台の分岐器１で複数通りの分岐特性を実現でき、必要とされる分岐特性が異なる複数の分岐回路に対応することができる。しかも、２組の第１端子から幹線が接続される端子を選択し、選択された第１端子に幹線を接続することによって、分岐特性が変更されるので、分岐特性を切り替える切替スイッチを無くすことができる。また分岐特性を切り替えるための切替スイッチがないので、切替スイッチが不用意に操作されることによって、一旦設定された分岐特性が変更される可能性を低減できる。
【００５４】
尚、図３の回路では第１端子が２組しか設けられていないが、第１端子を３組以上備えてもよい。その場合も組毎にインピーダンス調整部２の分岐特性を異ならせておけば、３組以上の第２端子から分岐線を接続する第２端子を選択することで、所望の分岐特性を得ることができる。
【００５５】
ところで、本実施形態の分岐器１では、２組の第１端子Ｔ１１，Ｔ１２は、それぞれ、別個に設けられた２個の接続端子を備えているが、複数組の第１端子Ｔ１１，Ｔ１２が不平衡回路で構成されていてもよい。すなわち、２組の第１端子Ｔ１１，Ｔ１２が、各組に共通する共通端子と、組ごとに個別に設けられた接続端子を有する不平衡回路で構成されてもよく、接続端子の数を減らすことによって、コストダウンや小型化が可能になる。
【００５６】
（実施形態４）
本発明の実施形態４を図５に基づいて説明する。実施形態２の分岐器１では、第２端子Ｔ２２を構成する２個の接続端子の間に、抵抗Ｒ２１，Ｒ２１を介して、トランスＴｒの二次巻線ｎ２が接続されている。それに対して、本実施形態では、トランスＴｒの二次巻線ｎ２の途中にタップを設け、第２端子Ｔ２２を構成する２個の接続端子の間に、抵抗Ｒ２１，Ｒ２１を介して、トランスＴｒの二次巻線ｎ２の一部（部分巻線ｎ３）が接続されている。尚、第２端子Ｔ２２を構成する２個の接続端子の間に、抵抗Ｒ２１，Ｒ２１を介して部分巻線ｎ３が接続されている点を除いては、実施形態２と同様であるので、共通する構成要素には、同一の符号を付して、その説明は省略する。
【００５７】
この分岐器１では、第２端子Ｔ２１に分岐線Ｌ２が接続される場合、トランスＴｒと、トランスＴｒの一次巻線ｎ１に直列接続された抵抗Ｒ１１，Ｒ１１とでインピーダンス調整部２が構成される。一方、第２端子Ｔ２２に分岐線Ｌ２が接続される場合、トランスＴｒと、トランスＴｒの一次巻線ｎ１に直列接続された抵抗Ｒ１１，Ｒ１１と、トランスＴｒの二次側の部分巻線ｎ３に直列接続された抵抗Ｒ２１，Ｒ２１とでインピーダンス調整部２が構成される。
【００５８】
したがって、一方の組の第２端子Ｔ２１に分岐線Ｌ２が接続される場合と、他方の組の第２端子Ｔ２２に分岐線Ｌ２が接続される場合とで分岐特性が異なるから、所望の分岐特性が得られる第２端子Ｔ２１，Ｔ２２を選択して、分岐線を接続すればよい。
【００５９】
また実施形態２では、トランスＴｒに接続される分岐抵抗の抵抗値のみを変更しているのに対して、本実施形態では、トランスＴｒに接続される分岐抵抗の抵抗値と、トランスＴｒの巻き比を両方共に変更することで、分岐特性を変化させている。
【００６０】
ここで、第２端子Ｔ２１に分岐線Ｌ２が接続された場合のインピーダンス調整部２の回路図を図６に示す。尚、図６では図示を簡略化するため、もう一方の第２端子Ｔ２２に関係する回路要素を省略して図示してある。
【００６１】
このインピーダンス調整部２において、分岐側から幹線側を見たインピーダンスＺ２は以下の式（１）で表される。但し、Ｚ１は幹線Ｌ１の特性インピーダンス、Ｒは分岐抵抗Ｒ１１の抵抗値、ＮはトランスＴｒの巻き比であり、（幹線側の巻数）：（分岐側の巻数）がＮ：１となっている。
【００６２】
Ｚ２＝（Ｚ１／２＋２×Ｒ）／Ｎ２  …（１）
分岐側から幹線側を見たインピーダンスＺ２が、分岐側に接続される分岐線Ｌ２の特性インピーダンスに一致する場合、インピーダンスマッチングしており、分岐側に関して言えば最適な状態となる。したがって、式（１）から求まるインピーダンスＺ２が分岐線Ｌ２の特性インピーダンスに一致するように、抵抗値Ｒ及び巻き比Ｎを設定するのが好ましい。
【００６３】
ここで、トランスＴｒの巻き比Ｎが固定値の場合、分岐線Ｌ２の特性インピーダンスと、分岐側から幹線側を見たインピーダンスＺ２が一致するような、分岐抵抗Ｒ１１の抵抗値Ｒは１つしかない。したがって、インピーダンスマッチングを重要視する場合、分岐器１のインピーダンス調整部２では、分岐抵抗Ｒ１１の抵抗値Ｒを１通りにしか設定できず、分岐損失などの特性を１通りにしか設定できない。
【００６４】
一方、トランスＴｒの巻き比Ｎが変更可能な場合は、分岐抵抗Ｒ１１の抵抗値Ｒと、トランスＴｒの巻き比Ｎの組み合わせによって、分岐側から幹線側を見たインピーダンスＺ２を設定できる。したがって、分岐線の特性インピーダンスと、分岐側から幹線側を見たインピーダンスＺ２とが一致するようにインピーダンス調整部２を設計した場合でも、抵抗値Ｒ及び巻き比Ｎの組み合わせは複数通りあり、設計の自由度が向上する。
【００６５】
尚、上述の実施形態１〜３や後述する他の実施形態においても、第１端子と第２端子の組み合わせによって、トランスＴｒの巻き比を異ならせてもよく、トランスＴｒの巻き比と分岐抵抗の抵抗値の両方を変更することで、様々な特性の分岐器１を設計することができる。
【００６６】
（実施形態５）
本発明の実施形態５を図７に基づいて説明する。尚、分岐器１の回路構成は実施形態１〜４で説明したものと同様であるので、共通する構成要素には同一の符号を付して、その説明は省略する。
【００６７】
実施形態１〜４で説明したように、本発明に係る分岐器１は、幹線Ｌ１が接続可能な第１端子、又は、分岐線Ｌ２が接続可能な第２端子を複数組備えている。図７（ａ）は２組の第１端子Ｔ１１，Ｔ１２を備えた分岐器１の要部（端子部分）を示しており、各組の第１端子Ｔ１１，Ｔ１２は、幹線Ｌ１を構成する２本の電線がそれぞれ接続される２個の電線接続部１１を備えている。各電線接続部１１は、端子ケース１０の表面に開口する電線挿入口１２と、電線挿入口１２に臨んで端子ケース１０の内部に収納され、電線挿入口１２から挿入される電線が接続される速結構造の接続端子（図示せず）を備えている。尚、速結構造の接続端子については、例えば特開平１０−１４４４２４号公報に開示されているような従来周知の速結端子を使用しているので、図示および説明は省略する。
【００６８】
ここで、２組の第１端子Ｔ１１，Ｔ１２が、図７（ａ）に示すように近接して設けられていると、一方の第１端子Ｔ１１が備える２個の電線接続部１１と、他方の第１端子Ｔ１２が備える２個の電線接続部１１の見分けがつきにくい。そのため、中央にある２個の電線接続部１１に、幹線Ｌ１を構成する２本の電線が誤って接続される可能性がある。この場合、一方の電線は第１端子Ｔ１１の電線接続部１１に接続され、他方の電線は第１端子Ｔ１２の電線接続部１１に接続されるため、分岐器１が正常に動作しなくなる。
【００６９】
そこで、本実施形態の分岐器１では、第１端子又は第２端子の組毎に電線接続部１１の対応付けが行えるように、第１端子Ｔ１１，Ｔ１２の組毎に、対応する２個の電線接続部１１を色分けしてある。図７（ｂ）は分岐器１の第１端子のみを模式的に図示した説明図であり、２組の第１端子Ｔ１１，Ｔ１２について、それぞれが備える２個の電線接続部１１を組毎に色分けした状態を示している。図７（ｂ）において、ハッチングされた部位とハッチングを施していない部位とは色が異なっており、端子ケース１０において電線挿入口１２の周縁部の色を、組毎に異ならせている。したがって、電線挿入口１２の周縁部の色から、複数の電線接続部１１を、対応する第１端子Ｔ１１，Ｔ１２の組毎に識別することができ、電線の接続間違いが起こりにくくなる。ここにおいて、対応する組毎に色分けされた電線接続部１１自体で、各々の電線接続部１１を組毎に対応付けするグループ化手段が構成される。
【００７０】
尚、本実施形態では、対応する組毎に電線接続部１１を色分けすることでグループ化しているが、色分け以外の方法で電線接続部１１の形態を異ならせることによって、各々の電線接続部１１を組毎に対応付けしてもよい。例えば、対応する組毎に電線接続部１１の形状（電線挿入口１２の形状や電線接続部１１が設けられた端子ケース１０の形状など）を異ならせてもよい。また、各々の電線接続部１１が対応する組を示す表示（図記号や文字や数字など）を端子ケース１０に設けてもよい。
【００７１】
また、電線接続部１１の形態を組毎に異ならせることで、各々の電線接続部１１を組毎に対応付けているが、図７（ｃ）に示すように、端子Ｔ１１，Ｔ１２の電線接続部１１を、対応する組毎に、他の組と離して配置してもよい。図７（ｃ）は分岐器１の第１端子のみを模式的に図示した説明図であり、一方の組の第１端子Ｔ１１が備える２個の電線接続部１１と、他方の組の第１端子Ｔ１２が備える２個の電線接続部１１とを互いに離して配置してある。このように、複数組の電線接続部１１は、対応する組毎に、他の組と離して配置されているので、複数の電線接続部１１を、対応する第１端子Ｔ１１，Ｔ１２の組毎に識別することができ、電線の接続間違いが起こりにくくなる。ここにおいて、対応する組毎に、他の組と離して配置された電線接続部１１自体で、各々の電線接続部１１を組毎に対応付けするグループ化手段が構成される。
【００７２】
（実施形態６）
本発明の実施形態６を図８及び図９に基づいて説明する。尚、分岐器１の回路構成は実施形態１〜４で説明したものと同様であるので、共通する構成要素には同一の符号を付して、その説明は省略する。
【００７３】
実施形態１〜４で説明したように、本発明に係る分岐器１は、幹線Ｌ１が接続される第１端子、又は、分岐線Ｌ２が接続される第２端子を複数組備えている。図８（ａ）（ｂ）は２組の第１端子Ｔ１１，Ｔ１２を備えた分岐器１の要部（端子部分）を示しており、各組の第１端子Ｔ１１，Ｔ１２は、幹線Ｌ１を構成する２本の電線がそれぞれ接続される２個の電線接続部１１を備えている。各電線接続部１１は、端子ケース１０の表面に開口する電線挿入口１２と、電線挿入口１２に臨んで端子ケース１０の内部に収納され、電線挿入口１２から挿入される電線が接続される速結構造の接続端子（図示せず）を備えている。
【００７４】
２組の第１端子Ｔ１１，Ｔ１２の端子ケース１０は隙間を開けて配置され、２つの端子ケース１０の間には、２本の支柱２１，２１が設けられている。支柱２１，２１の先端にはヒンジ部２２が設けられ、ヒンジ部２２を介して矩形板状の蓋２０が取り付けられている。而して、蓋２０は、支柱２１，２１の上端部に設けたヒンジ部２２，２２を介して回転自在となり、図中左側に倒すと一方の第１端子Ｔ１１を覆った状態（図８（ｂ）の状態）となり、図中右側に倒すと他方の第１端子Ｔ１２を覆った状態となる。
【００７５】
このように、２つある第１端子Ｔ１１，Ｔ１２のうちの一方を蓋２０で開閉自在に隠すことができるから、電線が接続されない組の第１端子Ｔ１１又はＴ１２を隠すことによって、電線の接続間違いが起こりにくい。尚、本実施形態では２組ある第１端子Ｔ１１，Ｔ１２のうち、電線が接続されない組の第１端子を蓋２０で覆っているが、複数組ある第２端子のうち電線が接続されない組を蓋２０で覆うようにしてもよい。
【００７６】
ところで、図８の形態では、複数組ある第１端子又は第２端子のうち、電線が接続されない組を、回転自在に設けられた蓋２０で開閉自在に覆っているが、図９に示すようにスライド自在に設けられた蓋３０で、接続されない組の端子を覆ってもよい。
【００７７】
図９（ａ）（ｂ）は、３組の第２端子Ｔ２１，Ｔ２２，Ｔ２３を備えた分岐器１の要部（端子部分）を示している。
【００７８】
分岐器１の分岐器本体１ａには、３組の第２端子Ｔ２１，Ｔ２２，Ｔ２３が一列に並べて収納されている。各組の第２端子Ｔ２１，Ｔ２２，Ｔ２３は、分岐線Ｌ２を構成する２本の電線がそれぞれ接続される２個の電線接続部１１を備えている。各電線接続部１１は、端子ケース１０の表面（図９における上面）に開口する電線挿入口１２と、電線挿入口１２に臨んで端子ケース１０の内部に収納され、電線挿入口１２から挿入される電線が接続される速結構造の接続端子（図示せず）を備えている。
【００７９】
一方、分岐器本体１ａの上面には、３組の第２端子Ｔ２１，Ｔ２２，Ｔ２３の上面を露出させる矩形孔状の開口部１ｂが設けられている。さらに、分岐器本体１ａの内部には、分岐器本体１ａの上面に沿ってスライド移動自在に蓋３０が設けられている。蓋３０には、端子ケース１０の１個分と略同じ大きさの露出窓３１が形成されており、この露出窓３１が開口部１ｂ内に位置するように配置されている。そして、蓋３０をスライド移動させることによって、露出窓３１の位置が移動し、３個ある第２端子Ｔ２１，Ｔ２２，Ｔ２３のうちの何れか１つが露出窓３１から露出するようになっている。尚、露出窓３１が何れかの組の第２端子Ｔ２１，Ｔ２２，Ｔ２３に対応する位置まで移動した時にクリック感を発生させる手段を設けることも好ましく、２つの第２端子の中間位置で蓋３０が止められる可能性を低減できる。
【００８０】
これにより、３組の第２端子Ｔ２１，Ｔ２２，Ｔ２３のうちの２個は蓋３０で覆われ、露出窓３１から何れか１つの組だけを露出させることができる。したがって、蓋３０をスライド移動させて、所望の組の第２端子を露出窓３１から露出させた状態で、分岐線Ｌ２の電線が第２端子に接続されるので、選択した組以外の第２端子を隠すことによって、電線の接続間違いが起こりにくくなる。
【００８１】
尚、本実施形態では３組ある第２端子Ｔ２１，Ｔ２２，Ｔ２２のうち、電線が接続されない組の第２端子を蓋３０で覆っているが、複数組ある第１端子のうち電線が接続されない組を蓋３０で覆うようにしてもよい。
【符号の説明】
【００８２】
１  分岐器
２  インピーダンス調整部
１１  電線接続部
２０，３０  蓋
Ｌ１  幹線
Ｌ２  分岐線
Ｔ１１，Ｔ１２  第１端子
Ｔ２１，Ｔ２２  第２端子
Ｔｒ  トランス
Ｒ１１，Ｒ１２，Ｒ１３，Ｒ２１，Ｒ２２  抵抗（損失発生要素）
【図１】
2012009944.tif 000003
【図２】
2012009944.tif 000004
【図３】
2012009944.tif 000005
【図４】
2012009944.tif 000006
【図５】
2012009944.tif 000007
【図６】
2012009944.tif 000008
【図７】
2012009944.tif 000009
【図８】
2012009944.tif 000010
【図９】
2012009944.tif 000011
【図１０】
2012009944.tif 000012